(57)【要約】【課題】非吸収記録媒体又は低吸収記録媒体である記録媒体に対する反応液を用いたインクジェット記録方法において、画質を向上させる。【解決手段】本発明の一態様は、非吸収記録媒体又は低吸収記録媒体である記録媒体へ、インク組成物を凝集させる凝集剤を含む反応液を、インクジェットヘッドから液滴として吐出して付着させる反応液付着工程と、記録媒体に付着させた反応液を乾燥させる反応液乾燥工程と、反応液を付着させた記録媒体へ、インク組成物をインクジェットヘッドから液滴として吐出して付着させるインク組成物付着工程と、を備え、反応液乾燥工程は、インク組成物を付着させる際の、反応液に含まれていた水の蒸発率が７０質量％以上であり有機溶剤の蒸発率が６０質量％以下に、反応液を乾燥させる、インクジェット記録方法である。【選択図】図１
2018138353.tif 000002
【特許請求の範囲】
【請求項１】
非吸収記録媒体又は低吸収記録媒体である記録媒体へ、インク組成物を凝集させる凝集剤を含む反応液を、インクジェットヘッドから液滴として吐出して付着させる反応液付着工程と、
前記記録媒体に付着させた前記反応液を乾燥させる反応液乾燥工程と、
前記反応液を付着させた前記記録媒体へ、インク組成物をインクジェットヘッドから液滴として吐出して付着させるインク組成物付着工程と、を備え、
前記反応液乾燥工程は、前記インク組成物を付着させる際の、前記反応液に含まれていた水の蒸発率が７０質量％以上であり有機溶剤の蒸発率が６０質量％以下に、前記反応液を乾燥させる、
インクジェット記録方法。
【請求項２】
前記反応液付着工程における前記記録媒体の表面温度が４５℃以下である、
請求項１記載のインクジェット記録方法。
【請求項３】
前記反応液乾燥工程は、着色インク組成物を付着させる際の、前記反応液に含まれていた水の蒸発率が９０質量％以上であり有機溶剤の蒸発率が１０質量％以下に、前記反応液を乾燥させる、
請求項１又は２記載のインクジェット記録方法。
【請求項４】
前記反応液が標準沸点１５０〜２８０℃の有機溶剤を含む、
請求項１〜３のいずれか一項に記載のインクジェット記録方法。
【請求項５】
前記反応液における標準沸点が２８０℃超の有機溶剤の含有量が３質量％以下である、請求項１〜４のいずれか一項に記載のインクジェット記録方法。
【請求項６】
前記インク組成物における標準沸点が２８０℃超の有機溶剤の含有量が３質量％以下である、
請求項１〜５のいずれか一項に記載のインクジェット記録方法。
【請求項７】
前記反応液の付着の際に前記記録媒体を支持する記録媒体支持部よりも記録媒体搬送方向の上流側に設けた予備加熱手段により前記記録媒体を加熱し、加熱された前記記録媒体に前記反応液を付着させる、
請求項１〜６のいずれか一項に記載のインクジェット記録方法。
【請求項８】
前記反応液付着工程において反応液付着領域における前記反応液の付着量が３ｍｇ／ｉｎｃｈ2以下である、
請求項１〜７のいずれか一項に記載のインクジェット記録方法。
【請求項９】
インク組成物付着領域におけるインク組成物の付着量が５ｍｇ／ｉｎｃｈ2以上の領域において、前記反応液の付着量が０．１ｍｇ／ｉｎｃｈ2以上である、
請求項１〜８のいずれか一項に記載のインクジェット記録方法。
【請求項１０】
前記反応液における前記凝集剤の含有量が１〜２０質量％である、
請求項１〜９のいずれか一項に記載のインクジェット記録方法。
【請求項１１】
前記反応液付着工程の前記反応液の液滴当たりの質量が１０ｎｇ／ｄｏｔ以下である、
請求項１〜１０のいずれか一項に記載のインクジェット記録方法。
【請求項１２】
前記反応液付着工程における前記反応液の液滴の解像度が、２００×２００ｄｐｉ以上である、
請求項１〜１１のいずれか一項に記載のインクジェット記録方法。
【請求項１３】
前記凝集剤が、多価金属塩、有機酸、カチオン性化合物の少なくともいずれかである、
請求項１〜１２のいずれか一項に記載のインクジェット記録方法。
【請求項１４】
記録媒体に付着させたインク組成物を、該インク組成物を吐出するインクジェットヘッドと対向する記録媒体支持部において乾燥させるインク組成物一次乾燥工程を備え、
前記インク組成物一次乾燥工程において、前記反応液と前記インク組成物に含まれていた合計の水の蒸発率が７０質量％以上となるように前記インク組成物を乾燥させる、
請求項１〜１３のいずれか一項に記載のインクジェット記録方法。
【請求項１５】
前記インクジェットヘッドから吐出する反応液が、水の含有量が４５〜９０質量％であり、有機溶剤の含有量が５〜４５質量％である、請求項１〜１４のいずれか一項に記載のインクジェット記録方法。
【発明の詳細な説明】
【技術分野】
【０００１】
本発明は、インクジェット記録方法に関する。
【背景技術】
【０００２】
インクジェット記録方法は、比較的単純な装置で、高精細な画像の記録が可能であり、各方面で急速な発展を遂げている。その中で、吐出安定性等について種々の検討がなされている。例えば、特許文献１には、インクの色材成分を凝集させる凝集剤、有機溶剤及び水を含有する前処理液（反応液）を記録媒体に付与する前処理液付与工程と、色材及び水を含有するインクを記録媒体にインクジェット吐出するインク吐出工程を有するインクジェット記録方法が開示されている。
【先行技術文献】
【特許文献】
【０００３】
【特許文献１】特開２０１４−３４１６７号公報
【発明の概要】
【発明が解決しようとする課題】
【０００４】
記録媒体として非吸収記録媒体又は低吸収記録媒体に、上述した反応液を用いたインクジェット記録方法を適用した場合、反応液の乾燥状態により画質が影響する状況が見出された。記録媒体に付着させた反応液があまり乾燥していない状態でインクを付着させた場合、画質の埋まりなどの点で劣る問題が見られた。一方、記録媒体に付着させた反応液の乾燥の程度によっては、画質の色安定性の点で劣るという問題も見られた。
【０００５】
本発明は、上述の課題の少なくとも一部を解決するためになされたものであり、非吸収記録媒体又は低吸収記録媒体である記録媒体に対する反応液を用いたインクジェット記録方法において、画質を向上させることができるインクジェット方法を提供することを目的とする。
【課題を解決するための手段】
【０００６】
本発明者らは、上記課題を解決するために鋭意検討した。その結果、反応液乾燥工程を経た後、インク組成物を付着させる際の反応液の水と有機溶剤の蒸発率が、画質の向上に極めて重要であることが見出された。この蒸発率は、反応液の組成及び反応液乾燥工程の条件を組み合わせることにより設定される。
【０００７】
本発明の一態様は、非吸収記録媒体又は低吸収記録媒体である記録媒体へ、インク組成物を凝集させる凝集剤を含む反応液を、インクジェットヘッドから液滴として吐出して付着させる反応液付着工程と、記録媒体に付着させた反応液を乾燥させる反応液乾燥工程と、反応液を付着させた記録媒体へ、インク組成物をインクジェットヘッドから液滴として吐出して付着させるインク組成物付着工程と、を備え、反応液乾燥工程は、インク組成物を付着させる際の、反応液に含まれていた水の蒸発率が７０質量％以上であり有機溶剤の蒸発率が６０質量％以下に、反応液を乾燥させる、インクジェット記録方法である。
【０００８】
上記構成によれば、インク組成物を付着させる際の、反応液に含まれていた水の蒸発率が７０質量％以上と高く、有機溶剤の蒸発率が６０質量％以下と低くなる。このように、インク組成物の凝集を阻害する水の残存量を低くし、インク組成物と混じり合うのに必要な有機溶剤の残存量を多くすることにより、インクの広がり性を適切にし、埋まりが良好でブリードの低減を図ることができる。
【０００９】
好ましくは、反応液付着工程における記録媒体の表面温度が４５℃以下である。これにより、インクジェットヘッド内部におけるインク組成物の乾燥を抑制でき、ヘッドの目詰まりが防止される。
【００１０】
好ましくは、反応液乾燥工程は、着色インク組成物を付着させる際の、反応液に含まれていた水の蒸発率が９０質量％以上であり有機溶剤の蒸発率が１０質量％以下となるように、反応液を乾燥させる。これにより、インクの広がり性を適切にし、埋まりが良好でブリードの低減を図ることができる。
【００１１】
好ましくは、反応液が標準沸点１５０〜２８０℃の有機溶剤を含む。これにより、ヘッド内の反応液に含まれる有機溶剤の揮発を防止して、ノズルの目詰まりを防止できる。また、記録媒体上においてインク組成物と混合した際には速やかに有機溶剤を揮発させることができ、インク非吸収性または低吸収性の記録媒体において、十分な画質を得ることができる。
【００１２】
好ましくは、反応液における標準沸点が２８０℃超の有機溶剤の含有量が３質量％以下である。これにより、インク組成物と混合した際には速やかに有機溶剤を揮発させることができ、インク非吸収性または低吸収性の記録媒体において、十分な画質及び定着性を得ることができる。
【００１３】
好ましくは、インク組成物における標準沸点が２８０℃超の有機溶剤の含有量が３質量％以下である。これにより、記録媒体に付着したインク組成物中の有機溶剤を速やかに揮発させることができ、インク非吸収性または低吸収性の記録媒体において、十分な画質及び定着性を得ることができる。
【００１４】
好ましくは、反応液の付着の際に記録媒体を支持する記録媒体支持部よりも記録媒体搬送方向の上流側に設けた予備加熱手段により記録媒体を加熱し、加熱された記録媒体に反応液を付着させる。予備加熱手段により記録媒体を加熱することにより、記録媒体上の反応液の水及び有機溶剤の蒸発率を調整することができる。
【００１５】
好ましくは、反応液付着工程において反応液付着領域における反応液の付着量が３ｍｇ／ｉｎｃｈ2以下である。このように反応液の付着量を少なくすることにより、インク組成物が付着した後の反応液の乾燥性を高めることができ、画質を向上させることができる。
【００１６】
好ましくは、インク組成物付着領域におけるインク組成物の付着量が５ｍｇ／ｉｎｃｈ2以上の領域において、反応液の付着量が０．１ｍｇ／ｉｎｃｈ2以上である。これにより、インク組成物が付着する領域において反応液を付着させることにより、記録媒体に形成される画像の画質を向上できる。
【００１７】
好ましくは、反応液における凝集剤の含有量が１〜２０質量％である。これにより、画質を向上させつつ、耐擦性等の他の特性とのバランスを図ることができる。
【００１８】
好ましくは、反応液付着工程の反応液の液滴当たりの質量が１０ｎｇ／ｄｏｔ以下である。このように反応液の液体当たりの質量を小さくすることにより、画質を向上させることができる。
【００１９】
好ましくは、反応液付着工程における反応液の液滴の解像度が、２００×２００ｄｐｉ以上である。このように反応液の液滴の解像度を上げることにより、画質を向上させることができる。
【００２０】
例えば、凝集剤が、多価金属塩、有機酸、カチオン性化合物の少なくともいずれかである。これにより、インク組成物を凝集させて画質を向上させることができる。
【００２１】
好ましくは、記録媒体に付着させたインク組成物を、該インク組成物を吐出するインクジェットヘッドと対向する記録媒体支持部において乾燥させるインク組成物一次乾燥工程を備え、インク組成物一次乾燥工程において、反応液とインク組成物に含まれていた合計の水の蒸発率が７０質量％以上となるようにインク組成物を乾燥させる。これにより画質の向上と記録時間の短縮のバランスを図ることができる。
【００２２】
好ましくは、インクジェットヘッドから吐出する反応液が、水の含有量が４５〜９０質量％であり、有機溶剤の含有量が５〜４５質量％である。
【図面の簡単な説明】
【００２３】
【図１】本実施形態のインクジェット方法に用いるインクジェット装置の概略図である。
【発明を実施するための形態】
【００２４】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００２５】
本実施形態のインクジェット方法は、非吸収記録媒体又は低吸収記録媒体である記録媒体へ、インク組成物を凝集させる凝集剤を含む反応液を、インクジェットヘッドから液滴として吐出して付着させる反応液付着工程と、記録媒体に付着させた反応液を乾燥させる反応液乾燥工程と、反応液を付着させた記録媒体へ、インク組成物をインクジェットヘッドから液滴として吐出して付着させるインク組成物付着工程と、を備え、反応液乾燥工程は、インク組成物を付着させる際の、反応液に含まれていた水の蒸発率が７０質量％以上であり有機溶剤の蒸発率が６０質量％以下となるように、反応液を乾燥させるものである。
【００２６】
これにより、インク組成物を付着させる際の、反応液に含まれていた水の蒸発率が７０質量％以上と高く、有機溶剤の蒸発率が６０質量％以下と低くなる。このように、インク組成物の凝集を阻害する水の残存量を低くし、インク組成物と混じり合うのに必要な有機溶剤の残存量を多くすることにより、インクの広がり性をバランス良くし、埋まりが良好でブリードの低減を図ることができる。
【００２７】
インク組成物を付着させる際の、反応液に含まれていた水の蒸発率Ｗとは、反応液を付着させてからインク組成物を付着させるまでに蒸発した水分量（質量％）であり、反応液の初期の水分量をＷ１とし、インク組成物を付着させる際の反応液の水分量をＷ２とした場合、下記式により定義される。Ｗ２は例えば水分量計を用いて測定される。
Ｗ＝［（Ｗ１−Ｗ２）／Ｗ１］×１００
【００２８】
インク組成物を付着させる際の、反応液に含まれていた有機溶媒の蒸発率Ｒとは、反応液を付着させてからインク組成物を付着させるまでに蒸発した有機溶剤の量（質量％）であり、反応液の初期の有機溶剤含有量をＲ１とし、インク組成物を付着させる際の反応液の有機溶剤量をＲ２とした場合、下記式により定義される。Ｒ２は例えば液体クロマトグラフィにより測定される。
Ｒ＝［（Ｒ１−Ｒ２）／Ｒ１］×１００
【００２９】
以下に、本実施形態のインクジェット方法に用いられる反応液、インク組成物、記録媒体、インクジェット装置について説明する。
【００３０】
〔反応液〕
反応液は、インク組成物を凝集させる凝集剤を含むものである。反応液は、インク組成物を付着させる前に記録媒体に付着させる。反応液を予め記録媒体に塗布しておくことにより、記録媒体に直接インク組成物を付着させる場合と比べて、画質を向上させることができる。以下に反応液中の成分について説明する。
【００３１】
（凝集剤）
凝集剤は、インク組成物に含まれるいずれかの成分、好ましくは色材と樹脂のいずれかと反応することで、インク組成物に含まれる樹脂とともに色材を凝集させるという機能を有する。これにより、着弾後にインク滴の色材を凝集させて増粘させ、インク滴間の干渉を抑えることができ、濃度むらのない画像を形成できる。
【００３２】
凝集剤としては、多価金属塩、有機酸、カチオン性化合物の何れかが好ましく、前２つの何れかがより好ましく、前１つがさらに好ましい。反応液に含む凝集剤の含有量は１〜２０質量％が好ましい。これにより、インク組成物を凝集させて画質を向上させることができる。
【００３３】
多価金属化合物は、２価以上の多価金属イオンとアニオンから構成される化合物である。２価以上の多価金属イオンとしては、例えば、Ｃａ2+、Ｍｇ2+、Ｃｕ2+、Ｎｉ2+、Ｚｎ2+、Ｂａ2+等が挙げられる。アニオンとしては、例えば、Ｃｌ-、ＮＯ3-、ＣＨ3ＣＯＯ-、Ｉ-、Ｂｒ-、ＣｌＯ3-等が挙げられる。これらの中でも、上述の凝集効果が一層高まるという観点から、マグネシウム塩、カルシウム塩およびアルミニウム塩を好ましく用いることができる。
【００３４】
有機酸としては、以下に限定されないが、例えば、酢酸、プロピオン酸、及び乳酸が挙げられる。
【００３５】
カチオン性化合物としては、以下に限定されないが、カチオン性ポリマーやカチオン性界面活性剤などが用いられ、例えば、ポリアリルアミン及びポリアリルアミンの四級塩などの、水に可溶であり且つ水中で正に荷電するカチオン性高分子が挙げられる。
【００３６】
反応液における凝集剤の含有量は、好ましくは１〜２０質量％であり、より好ましくは２〜１０質量％であり、さらにより好ましくは３〜７質量％である。反応液における凝集剤の含有量は、モル濃度で換算すると、好ましくは０．１〜１．５ｍｏｌ／ｋｇであり、より好ましくは０．３〜１．０ｍｏｌ／ｋｇであり、さらにより好ましくは０．３〜０．５ｍｏｌ／ｋｇである。これにより、画質を向上させつつ、耐擦性等の他の特性とのバランスを図ることができる。
【００３７】
（有機溶剤）
反応液は、好ましくは有機溶剤を含む。これにより、ヘッド内の反応液に含まれる有機溶剤の揮発を防止して、ノズルの目詰まりを防止できる。また、記録媒体上においてインク組成物と混合した際には、有機溶剤を液中に拡散させ、速やかに反応液とインクが混合し、インクの成分と凝集剤との反応を促進させることができ、インク非吸収性または低吸収性の記録媒体において、十分な画質を得ることができる。
【００３８】
（標準沸点１５０〜２８０℃の有機溶剤）
反応液は、好ましくは標準沸点１５０〜２８０℃の有機溶剤を含み、より好ましくは標準沸点１８０〜２５０℃の有機溶剤を含む。これにより、ヘッド内の反応液に含まれる有機溶剤の揮発を防止して、ノズルの目詰まりを防止できる。また、記録媒体上においてインク組成物と混合した際には、有機溶剤を液中に拡散させ、速やかに反応液とインクが混合し、インクの成分と凝集剤との反応を促進させることができ、インク非吸収性または低吸収性の記録媒体において、十分な画質を得ることができる。また、反応液に含む有機溶剤の沸点が上記の範囲である場合、記録媒体にインクを付着させる際の反応液に含まれていた水や有機溶剤の蒸発率を後述する好ましい範囲にしやすい点で好ましい。
【００３９】
上記有機溶剤として、含窒素溶剤を含んでいてよい。これによりインク組成物中の樹脂を安定して溶解させることができ、インク組成物と混じり合うことができる。また、含窒素溶剤はインク組成物に含まれる樹脂粒子の軟化を促進させる効果があり、加熱温度が低い場合でも密着性が向上する傾向にある。
【００４０】
含窒素溶剤としては、特に限定されないが、ピロリドン系、イミダゾリジノン系、アミドエーテル系、ピリジン系、ピラジン系、ピリドン系が挙げられる。好ましくはピロリドン系であり、例えば、２−ピロリドン、Ｎ−メチル−２−ピロリドン、Ｎ−エチル−２−ピロリドンが挙げられる。含窒素溶剤は、１種単独で用いてもよく、２種以上を併用してもよい。
【００４１】
上記有機溶剤として、含窒素溶剤以外のその他の有機溶剤をさらに含んでもよい。このような有機溶剤は、好ましくはポリオール化合物であり、より好ましくはアルカンジオールであり、さらに好ましくは炭素数３〜７のアルカンジオールである。その他の有機溶剤としては、特に限定されないが、具体的には、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類が挙げられる。その他の溶剤は、１種単独で用いてもよく、２種以上を組み合わせて用いてもよい。
【００４２】
反応液の有機溶剤（含窒素溶剤を含んでもよい）の総量は、反応液の総量に対して、好ましくは５．０質量％以上４５質量％以下であり、より好ましくは５．０質量％以上４０質量％以下であり、さらにより好ましくは１０質量％以上３５質量％以下、さらに好ましくは１５質量％以上３０質量％以下である。また、含窒素溶剤の好ましい含有量は、反応液総量に対して、好ましくは２質量％以上２０質量％以下であり、より好ましくは３〜１０質量％である。また、有機溶剤の中でも標準沸点が１５０〜２８０℃の有機溶剤の反応液の総質量に対する含有量が上記範囲であることが好ましい。
【００４３】
（標準沸点２８０℃超の有機溶剤）
反応液は、標準沸点が２８０℃を超える有機溶剤の含有量が３質量％以下が好ましい。反応液が標準沸点２８０℃超の有機溶剤を含むと、記録媒体上での反応液の乾燥性が大幅に低下してしまう。その結果、種々の記録媒体、特にインク非吸収性又は低吸収性の記録媒体において、画像の濃淡ムラが目立つだけではなく、インクの定着性も得られない。
【００４４】
反応液における標準沸点２８０℃超の有機溶剤の含有量は、インク組成物の全質量に対して、２質量％以下が好ましく、１質量％以下がより好ましく、０．５質量％以下がさらに好ましく、０質量％以上０．１質量％未満が特に好ましく、０質量％以上０．０５質量％未満がますます好ましく、０質量％以上０．０１質量％未満がいっそう好ましく、０質量％以上０．００１質量％未満が最も好ましい。含有量が上記範囲であることにより、記録物の耐擦性が、標準沸点２８０℃超の有機溶剤により低下することが抑制され、より耐擦性に優れた記録物を得ることができる。
【００４５】
（界面活性剤）
反応液は、界面活性剤を含むことが好ましい。界面活性剤としては、特に限定されないが、例えば、アセチレングリコール系界面活性剤、フッ素系界面活性剤及びシリコーン系界面活性剤が挙げられる。このなかでも、アセチレングリコール系界面活性剤、シリコーン系界面活性剤が好ましい。これらの界面活性剤として、インク組成物と同じ界面活性剤を用いることができる。
【００４６】
界面活性剤の含有量は、反応液１００質量％に対して、好ましくは０．１〜２．０質量％であり、より好ましくは０．１〜１．７質量％であり、さらに好ましくは０．１〜１．５質量％である。
【００４７】
（水）
反応液は、水を含む。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加などによって滅菌した水を用いると、顔料分散液及びこれを用いたインクを長期保存する場合にカビやバクテリアの発生を防止することができる。
【００４８】
水の含有量は特に制限されないが、反応液は、有機溶剤よりも、水の含有量を多く含むことが好ましい。水の含有量は、反応液１００質量％に対して、好ましくは４０〜９５質量％であり、より好ましくは４５〜９０質量％であり、さらに好ましくは５０〜８０質量％である。
【００４９】
反応液は、樹脂、糊剤（例えば、デンプン物質、セルロース系物質、多糖類、タンパク質、水溶性高分子等）、ｐＨ調製剤、防腐剤・防かび剤等の成分を含有してもよい。
【００５０】
〔インク組成物〕
本実施形態のインク組成物は、水系インクジェットインク組成物である。以下にインク組成物に含まれる各成分について説明する。
【００５１】
（色材）
色材として顔料又は染料を用いることができるが、好ましくは、顔料が用いられる。顔料としては、特に限定されないが、例えば、以下のものが挙げられる。
【００５２】
ブラック顔料としては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００５３】
ホワイト顔料としては、特に限定されないが、例えば、Ｃ．Ｉ．ピグメントホワイト  ６、１８、２１、酸化チタン、酸化亜鉛、硫化亜鉛、酸化アンチモン、酸化マグネシウム、及び酸化ジルコニウムの白色無機顔料が挙げられる。当該白色無機顔料以外に、白色の中空樹脂粒子及び高分子粒子などの白色有機顔料を使用することもできる。
【００５４】
イエローインクに使用される顔料としては、特に限定されないが、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００５５】
マゼンタ顔料としては、特に限定されないが、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントヴァイオレット  １９、２３、３２、３３、３６、３８、４３、５０が挙げられる。
【００５６】
シアン顔料としては、特に限定されないが、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バットブルー  ４、６０が挙げられる。
【００５７】
また、マゼンタ、シアン、及びイエロー以外のカラーインクに使用される顔料としては、特に限定されないが、例えば、Ｃ．Ｉ．ピグメント  グリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００５８】
パール顔料としては、特に限定されないが、例えば、二酸化チタン被覆雲母、魚鱗箔、酸塩化ビスマス等の真珠光沢や干渉光沢を有する顔料が挙げられる。
【００５９】
メタリック顔料としては、特に限定されないが、例えば、アルミニウム、銀、金、白金、ニッケル、クロム、錫、亜鉛、インジウム、チタン、銅などの単体又は合金からなる粒子が挙げられる。
【００６０】
顔料の含有量は、インク組成物１００質量％に対して、好ましくは０．４〜１２質量％であり、より好ましくは１〜８質量％であり、さらに好ましくは２〜５質量％である。
【００６１】
（樹脂粒子）
本実施形態のインク組成物は、樹脂粒子を含む。このような樹脂を選定することにより、インク組成物中の樹脂粒子を含窒素溶剤が安定して溶解させることができ、インク組成物の乾燥による樹脂の凝集およびヘッドの内壁への樹脂の溶着を抑制できる。
【００６２】
樹脂の種類は、特に限定されないが、例えば、（メタ）アクリル酸、（メタ）アクリル酸エステル、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、及び塩化ビニリデンの単独重合体又は共重合体、フッ素樹脂、及び天然樹脂が挙げられる。このなかでも、（メタ）アクリル系樹脂及びスチレン−（メタ）アクリル酸共重合体系樹脂のうち少なくともいずれかが好ましく、アクリル系樹脂及びスチレン−アクリル酸共重合体系樹脂のうち少なくともいずれかがより好ましく、スチレン−アクリル酸共重合体系樹脂がさらに好ましい。なお、上記の共重合体は、ランダム共重合体、ブロック共重合体、交互共重合体、及びグラフト共重合体のうちいずれの形態であってもよい。
【００６３】
上記の樹脂は、特に限定されないが、例えば、以下に示す調製方法により得ることができ、必要に応じて複数の方法を組み合わせてもよい。当該調製方法としては、所望の樹脂を構成する成分の単量体中に重合触媒（重合開始剤）と分散剤とを混合して重合（乳化重合）する方法、親水性部分を持つ樹脂を水溶性有機溶剤に溶解させて得られる溶液を水中に混合した後に水溶性有機溶剤を蒸留等で除去する方法、及び樹脂を非水溶性有機溶剤に溶解させて得られる溶液を分散剤と共に水溶液中に混合する方法が挙げられる。
【００６４】
樹脂の含有量が、１質量％以上１５質量％以下であることが好ましく、２質量％以上１０質量％であることがより好ましく、３質量％以上７質量％以下であることがさらに好ましい。樹脂の含有量を上記の範囲内に設定することにより、耐擦性を向上させつつ、樹脂を安定して溶解でき、吐出安定性を向上できる。
【００６５】
（水）
本実施形態のインク組成物は、水を含む。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加などによって滅菌した水を用いると、顔料分散液及びこれを用いたインクを長期保存する場合にカビやバクテリアの発生を防止することができる。
【００６６】
水の含有量は特に制限されないが、本発明は、後述する溶剤（有機溶剤）よりも、水の含有量を多く含むことが好ましい。また、所謂「水系インク」と呼ばれるものであり、インクに含む溶媒成分として少なくとも水を主要な成分とするものである。水の含有量は、水系インク組成物１００質量％に対して、好ましくは４０〜９５質量％であり、より好ましくは４５〜９０質量％であり、さらに好ましくは５０〜８０質量％である。
【００６７】
（含窒素溶剤）
本実施形態のインク組成物は、含窒素溶剤を含んでいてよい。これにより樹脂を安定して溶解させることができ、インクジェット記録時にヘッドのノズル近傍における目詰まりを防止し、インク組成物の吐出安定性がより優れる傾向にある。また、含窒素溶剤は樹脂粒子の軟化を促進させる効果があり、加熱温度が低い場合でも密着性が向上する傾向にある。
【００６８】
含窒素溶剤としては、特に限定されないが、ピロリドン系、イミダゾリジノン系、アミドエーテル系、ピリジン系、ピラジン系、ピリドン系が挙げられる。好ましくはピロリドン系であり、例えば、２−ピロリドン、Ｎ−メチル−２−ピロリドン、Ｎ−エチル−２−ピロリドンが挙げられる。含窒素溶剤は、１種単独で用いてもよく、２種以上を併用してもよい。
【００６９】
含窒素溶剤の含有量は、インク組成物の総量に対して、好ましくは３質量％以上３０質量％以下であり、より好ましくは５質量％以上２０質量％以下であり、さらに好ましくは６質量％以上１５質量％以下である。含窒素溶剤の含有量を上記の範囲に設定することにより、含窒素溶剤がインク組成物において樹脂を安定して溶解させることができ、インク組成物の乾燥によるヘッドの目詰まりを抑制できる。
【００７０】
含窒素溶剤の標準沸点は、好ましくは１８０℃以上２８０℃未満であり、より好ましくは１８０℃以上２５０℃未満である。これにより、ヘッド内のインク組成物に含まれる含窒素溶剤の揮発を防止して、ノズルの目詰まりを防止できる。また、記録媒体上にインク組成物が付着した際には速やかに含窒素溶剤を揮発させることができ、インク非吸収性または低吸収性の記録媒体において、十分な画質を得ることができる。
【００７１】
（その他の有機溶剤）
本実施形態におけるインクは、含窒素溶剤以外のその他の有機溶剤をさらに含んでもよい。上記以外のその他の有機溶剤としては、特に限定されないが、具体的には、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類が挙げられる。その他の溶剤は、１種単独で用いてもよく、２種以上を組み合わせて用いてもよい。
【００７２】
その他の有機溶剤の標準沸点の好ましい範囲は、含窒素溶剤のものと同じであり、好ましくは１８０℃以上２８０℃未満であり、より好ましくは１８０℃以上２５０℃未満である。これにより、ヘッド内のインク組成物に含まれる有機溶剤の揮発を防止して、ノズルの目詰まりを防止できる。また、記録媒体上にインク組成物が付着した際には速やかに有機溶剤を揮発させることができ、インク非吸収性または低吸収性の記録媒体において、十分な画質を得ることができる。
【００７３】
有機溶剤（含窒素溶剤を含んでもよい）の総量は、インクの総量に対して、好ましくは５．０質量％以上３０質量％以下であり、より好ましくは１０質量％以上２５質量％以下、さらに好ましくは１５質量％以上２０質量％以下である。また、有機溶剤の中でも、標準沸点が１８０℃以上２８０℃未満の有機溶剤の含有量が上記範囲であることが好ましい。
【００７４】
（沸点２８０℃超の有機溶剤）
本実施形態のインク組成物は、標準沸点が２８０℃を超える有機溶剤の含有量が３質量％以下が好ましい。インク組成物が標準沸点２８０℃超の有機溶剤を含むと、記録媒体上でのインクの乾燥性が大幅に低下してしまう。その結果、種々の記録媒体、特にインク非吸収性又は低吸収性の記録媒体において、画像の濃淡ムラが目立つだけではなく、インクの定着性も得られない。
【００７５】
インク組成物における標準沸点２８０℃超の有機溶剤の含有量は、インク組成物の全質量に対して、２質量％以下が好ましく、１質量％以下がより好ましく、０．５質量％以下がさらに好ましく、０質量％以上０．１質量％未満が特に好ましく、０質量％以上０．０５質量％未満がますます好ましく、０質量％以上０．０１質量％未満がいっそう好ましく、０質量％以上０．００１質量％未満が最も好ましい。含有量が上記範囲であることにより、インク組成物を用いた記録物の耐擦性が、標準沸点２８０℃超の有機溶剤により低下することが抑制され、より耐擦性に優れた記録物を得ることができる。
【００７６】
（界面活性剤）
本実施形態のインク組成物は、界面活性剤を含むことが好ましい。界面活性剤としては、特に限定されないが、例えば、アセチレングリコール系界面活性剤、フッ素系界面活性剤及びシリコーン系界面活性剤が挙げられる。このなかでも、アセチレングリコール系界面活性剤、シリコーン系界面活性剤が好ましい。
【００７７】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１やサーフィノールDF110D（日信化学工業社（Nissin Chemical Industry CO.,Ltd.）製商品名）などが挙げられる。アセチレングリコール系界面活性剤は、１種単独で使用してもよいし、２種以上を併用してもよい。
【００７８】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ-１４４、Ｓ-１４５（旭硝子株式会社製）；ＦＣ-１７０Ｃ、ＦＣ-４３０、フロラード-ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）が挙げられる。フッ素系界面活性剤は、１種単独で使用してもよいし、２種以上を併用してもよい。
【００７９】
シリコーン系界面活性剤としては、ポリシロキサン系化合物、ポリエーテル変性オルガノシロキサン等が挙げられる。シリコーン系界面活性剤の市販品としては、特に限定されないが、具体的には、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００８０】
界面活性剤の含有量は、インク組成物１００質量％に対して、好ましくは０．１〜２．０質量％であり、より好ましくは０．１〜１．７質量％であり、さらに好ましくは０．１〜１．５質量％である。界面活性剤の含有量が２．０質量％以下であることにより、耐擦性がより向上する傾向にある。また、界面活性剤の含有量が０．１質量％以上であることにより、得られる記録物の埋まり性がより向上し、かつ、吐出安定性がより向上する傾向にある。
【００８１】
（その他の成分）
本実施形態で用いるインクは、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【００８２】
〔インクジェット装置〕
図１に、本実施形態に係るインクジェット方法に用いられるインクジェット装置の一例の概略断面図を示す。図１に示すように、インクジェット装置１００は、インクジェットヘッド２と、ＩＲヒーター３と、プラテンヒーターと、硬化ヒーター５と、冷却ファン６と、プリヒータ７と、通気ファン８と、を備えている。インクジェットヘッド２は図示しないキャリッジに備えられており、記録媒体に対して移動しながらインクを吐出して記録媒体へ付着させる走査（主走査）を複数回行うことで記録を行う。なお、インクジェット装置は記録媒体に対して１回の走査でインクの付着を行うラインプリンターとしても良い。
【００８３】
図１に示すインクジェット装置１００は、インクジェットヘッド２からのインク組成物吐出時において、記録媒体１を加熱するための、ＩＲヒーター３及びプラテンヒーター（不図示）を備えるプラテン４（記録媒体支持部）を備えている。インク組成物の付着工程において記録媒体を加熱する際には、ＩＲヒーター３及びプラテンヒーターの少なくとも１つを用いればよい。
【００８４】
なお、ＩＲヒーター３を用いると、インクジェットヘッド２側から記録媒体を加熱することができる。これにより、インクジェットヘッド２も同時に加熱されやすいが、プラテンヒーターなど記録媒体の裏面から加熱される場合と比べて、記録媒体の厚みの影響を受けずに昇温することができる。また、プラテンヒーターを用いると、インクジェットヘッド２側と反対側から記録媒体を加熱することができる。これにより、インクジェットヘッド２が比較的加熱されにくくなる。
【００８５】
硬化ヒーター５は、記録媒体に記録されたインク組成物を乾燥及び固化させるものである。硬化ヒーター５が、画像が記録された記録媒体を加熱することにより、インク組成物中に含まれる水分などがより速やかに蒸発飛散して、インク組成物中に含まれるポリマー粒子によって皮膜が形成される。このようにして、記録媒体上においてインク乾燥物が強固に定着（接着）して、耐擦性に優れた高画質な画像を短時間で得ることができる。硬化ヒーター５による乾燥温度は、好ましくは４０℃〜１２０℃であり、より好ましくは６０℃〜１００℃であり、さらに好ましくは７０℃〜９０℃である。
【００８６】
インクジェット装置１００は、冷却ファン６を有していてもよい。乾燥後、冷却ファン６により記録媒体上のインク組成物を冷却することにより、記録媒体上に密着性よく被膜を形成することができる傾向にある。
【００８７】
また、インクジェット装置１００は、記録媒体に対しインク組成物が吐出される前に、記録媒体を予め加熱する（プレ加熱する）プリヒータ７を備えていてもよい。さらに、インクジェット装置１００は、記録媒体に付着したインク組成物がより効率的に乾燥するように通気ファン８を備えていてもよい。プレ加熱を行う場合、反応液付着工程と同時に行う記録媒体の加熱を少なくすることが可能であり、ヘッドへの熱の影響を少なくできる点で好ましい。
【００８８】
〔記録装置の制御方法〕
本実施形態は、記録装置（インクジェット装置）の制御方法としてもよい。制御方法は例えば、前述の記録装置を用いて、後述の記録方法を行うに際し、記録装置が備える制御部により、後述の記録方法を行うよう記録装置を制御して記録を行うものである。
【００８９】
〔記録媒体〕
本実施形態では、記録媒体としては、非吸収性記録媒体又は低吸収性記録媒体が用いられる。非吸収性記録媒体又は低吸収性記録媒体は、低吸収、さらには非吸収であるほど水系インク組成物のはじきによる埋まり性が低下しやすい。そこで、そのような記録媒体に対して、本実施形態に係るインクジェット記録方法を用いることが有利となる。
【００９０】
ここで、「低吸収性記録媒体」又は「非吸収性記録媒体」は、ブリストー（Ｂｒｉｓｔｏｗ）法において接触開始から３０ｍｓｅｃまでの水吸収量が１０ｍＬ／ｍ2以下である記録媒体をいう。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００９１】
また、非吸収性記録媒体又は低吸収性記録媒体は、記録面の水に対する濡れ性によっても分類することができる。例えば、記録媒体の記録面に０．５μＬの水滴を滴下し、接触角の低下率（着弾後０．５ミリ秒における接触角と５秒における接触角の比較）を測定することによって記録媒体を特徴付けることができる。より具体的には、記録媒体の性質として、「非吸収性記録媒体」の非吸収性は上記の低下率が１％未満のことを指し、「低吸収性記録媒体」の低吸収性は上記の低下率が１％以上５％未満のことを指す。また、吸収性とは上記の低下率が５％以上のことを指す。なお、接触角はポータブル接触角計  ＰＣＡ−１（協和界面科学株式会社製）等を用いて測定することができる。
【００９２】
低吸収性記録媒体としては、特に限定されないが、例えば、表面に油性インクを受容するための塗工層が設けられた塗工紙が挙げられる。塗工紙としては、特に限定されないが、例えば、アート紙、コート紙、マット紙等の記録本紙が挙げられる。
【００９３】
非吸収性記録媒体としては、特に限定されないが、例えば、インク吸収層を有していないプラスチックフィルム、紙等の基材上にプラスチックがコーティングされているものやプラスチックフィルムが接着されているもの等が挙げられる。ここでいうプラスチックとしては、ポリ塩化ビニル、ポリエチレンテレフタレート、ポリカーボネート、ポリスチレン、ポリウレタン、ポリエチレン、ポリプロピレン等が挙げられる。
【００９４】
さらに上記の記録媒体以外にも、鉄、銀、銅、アルミニウム等の金属類のプレート、
ガラスなどのインク非吸収性又は低吸収性の記録媒体を用いることもできる。
【００９５】
〔インクジェット記録方法〕
上述したように、本実施形態のインクジェット方法は、非吸収記録媒体又は低吸収記録媒体である記録媒体へ、インク組成物を凝集させる凝集剤を含む反応液を、インクジェットヘッドから液滴として吐出して付着させる反応液付着工程と、前記記録媒体に付着させた前記反応液を乾燥させる反応液乾燥工程と、前記反応液を付着させた前記記録媒体へ、インク組成物をインクジェットヘッドから液滴として吐出して付着させるインク組成物付着工程と、を備え、前記反応液乾燥工程は、前記インク組成物を付着させる際の、前記反応液に含まれていた水の蒸発率が７０質量％以上であり有機溶剤の蒸発率が６０質量％以下となるように、前記反応液を乾燥させるものである。
【００９６】
（反応液付着工程）
上述したように、反応液付着工程は、多価金属化合物、有機酸およびカチオン性樹脂のうち少なくとも１種を含有する反応液を記録媒体に付着させる工程である。反応液に含まれる多価金属化合物、有機酸およびカチオン性樹脂は、いずれも、インク組成物に含まれる顔料や、インク組成物に含まれ得る顔料分散樹脂などと反応して、顔料を凝集させるという機能を有する。これにより、インク組成物を用いて記録される画像のブリード等の発生を抑制することができ、優れた画質の画像が得られる。
【００９７】
反応液付着工程における記録媒体の表面温度の上限は、好ましくは４５℃以下であり、より好ましくは４０℃以下であり、さらにより好ましくは３８℃以下である。付着工程における記録媒体の表面温度の下限は、限定されないが、好ましくは２０℃以上であり、より好ましくは２３℃以上であり、さらに好ましくは２５℃以上であり、特に好ましくは３０℃以上であり、極めて好ましくは３２℃以上である。これにより、プラテンから受ける輻射熱が少ない又はなくなることから、インクジェットヘッド内のインク組成物の乾燥および組成変動を抑制でき、ヘッドの目詰まりが防止される。
【００９８】
好ましくは、反応液の付着の際に記録媒体を支持する記録媒体支持部よりも記録媒体搬送方向の上流側に設けた予備加熱手段（プリヒータ７）により記録媒体を加熱し、加熱された記録媒体に反応液を付着させる。予備加熱手段により記録媒体を加熱することにより、記録媒体上の反応液の水及び有機溶剤の蒸発率を調整することができる。
【００９９】
反応液付着領域における反応液の付着量は、好ましくは３ｍｇ／ｉｎｃｈ2以下であり、より好ましくは２．５ｍｇ／ｉｎｃｈ2以下、さらに好ましくは２．０ｍｇ／ｉｎｃｈ2以下であり、特に好ましくは１．９ｍｇ／ｉｎｃｈ2以下である。このように反応液の付着量を少なくすることにより、インク組成物が付着した後の反応液の乾燥性を高めることができ、画質を向上させることができる。
【０１００】
インク組成物付着領域におけるインク組成物の付着量が５ｍｇ／ｉｎｃｈ2以上の領域において、反応液の付着量が、好ましくは０．１ｍｇ／ｉｎｃｈ2以上であり、より好ましくは０．２ｍｇ／ｉｎｃｈ2以上であり、さらに好ましくは０．５ｍｇ／ｉｎｃｈ2以上であり、特に好ましくは１ｍｇ／ｉｎｃｈ2以上であり、極めて好ましくは１．５ｍｇ／ｉｎｃｈ2以上である。このように、インク組成物が付着する領域において反応液を付着させることにより、記録媒体に形成される画像の画質を向上できる。
【０１０１】
反応液の液滴当たりの質量の上限は、好ましくは１０ｎｇ／ｄｏｔ以下であり、より好ましくは８ｎｇ／ｄｏｔ以下であり、さらに好ましくは７ｎｇ／ｄｏｔ以下である。反応液の液滴当たりの質量の下限は、好ましくは１ｎｇ／ｄｏｔ以上であり、より好ましくは３ｎｇ／ｄｏｔ以上である。これにより、反応液の液滴当たりの質量を上記範囲内に設定することにより、ブリードを抑制し、埋まりを向上させて、画質を向上させることができる。
【０１０２】
反応液の液滴の解像度が、２００×２００ｄｐｉ以上であり、より好ましくは３６０×３６０ｄｐｉ以上であり、さらに好ましくは７２０×３６０ｄｐｉ以上であり、特に好ましくは７２００×７２０ｄｐｉ以上である。このように反応液の液滴の解像度を上げることにより、埋まりを向上させて、画質を向上させることができる。
【０１０３】
（反応液乾燥工程）
反応液乾燥工程では、インク組成物を付着させる際の、反応液に含まれていた水の蒸発率が７０質量％以上であり有機溶剤の蒸発率が６０質量％以下となるように、反応液を乾燥させる。反応液乾燥工程を経たインク組成物を付着させる際の、反応液に含まれていた水の蒸発率は、好ましくは８０質量％以上であり、より好ましくは９０質量％以上であり、さらに好ましくは９５質量％以上である。上限は１００質量％以下であり、限るものではないが９９質量％以下が好ましい。また、反応液乾燥工程を経たインク組成物を付着させる際の、有機溶剤の蒸発率は、好ましくは５０質量％以下であり、より好ましくは３０質量％以下であり、さらに好ましくは２０質量％以下であり、特に好ましくは１０質量％以下であり、極めて好ましくは５質量％以下である。下限は０質量％以上であり、限るものではないが０．５質量％以上が好ましい。このように、記録媒体上でのインク組成物の埋まりを低減させるようなインクの過度の反応を抑制するように水の残存量を低くし、かつ、水の存在が極端に少ないことで色安定性が低下することを避け、またインク組成物と混じり合うのに必要な有機溶剤の残存量を多くすることにより、インクの広がり性をバランス良くし、埋まりが良好でブリードの低減を図ることができる。
【０１０４】
詳細には、インク組成物を付着させる際の反応液の乾燥があまり進んでいない場合、反応液に含まれていた水の蒸発率が低く水が多く残っており、記録媒体の反応液に打ち込まれたインク滴が直ちに反応してしまい広がらず、記録媒体上でのインクの広がりが悪く、埋まりが悪い画質となると推測する。また、水が多く残っている場合、記録媒体上に残る移動可能な液体量が多く隣接するインクの液滴同士が接触して混合してしまいブリードが発生すると推測する。
一方、反応液の乾燥がかなり進んだ状態では、水がほとんど残っておらず、有機溶剤は若干残っていたとしても、反応液上に打ち込まれたインク滴に対し凝集剤が直ちに反応できず、インクの反応が遅れる傾向があると推測する。一方、反応液の乾燥が過度に進み過ぎた場合、記録媒体に付着したインク組成物が直ちに凝集剤と反応できず、反応が遅れ好ましい画質にならないと推測する。
上記のような結果、反応液の乾燥があまり進んでいない場合も、かなり進んだ場合も、記録媒体の表面をインクで覆う状態が安定しておらず、記録の度に記録物の色が若干異なってしまい色安定性が劣ると推測する。
【０１０５】
インク組成物を付着させる際の、記録媒体に付着している反応液に含まれている水や有機溶剤の含有量は、記録媒体に付着している反応液の総質量に対して、水の含有量が好ましくは２５質量％以下であり、より好ましくは２０質量％以下であり、さらに好ましくは１５質量％以下であり、特に好ましくは１０質量％以下であり、下限は０質量％以上であり、限るものではないが０．５質量％以上であってもよく、１質量％以上であってもよく、２質量％以上であってもよい。また、インク組成物を付着させる際の、記録媒体に付着している反応液の総質量に対して、有機溶剤の含有量が好ましくは５質量％以上であり、より好ましくは１０質量％以上であり、さらに好ましくは１５質量％以上であり、上限は限るものではないが好ましくは４０質量％以下であり、より好ましくは３０質量％以下であり、さらに好ましくは２５質量％以下である。
【０１０６】
反応液乾燥工程を経てインク組成物を付着させる際の反応液に含まれる水及び有機溶剤の蒸発率が上記範囲内となるように、反応液乾燥工程における温度及び時間が制御される。
【０１０７】
（インク組成物付着工程）
インク組成物付着工程は、反応液を付着させた記録媒体へ、インク組成物をインクジェットヘッドから液滴として吐出して付着させる工程である。
【０１０８】
（インク組成物一次乾燥工程）
本実施形態のインクジェット方法は、記録媒体に付着させたインク組成物を、該インク組成物を吐出するインクジェットヘッドと対向する記録媒体支持部において乾燥させるインク組成物乾燥工程を備えていてもよい。そして、このインク組成物乾燥工程において、反応液とインク組成物に含まれていた合計の水の蒸発率が７０質量％以上となるようにインク組成物を乾燥させることが好ましく、さらに有機溶剤の蒸発率が６０質量％以下となるようにインク組成物を乾燥させることが好ましい。これにより画質の向上と記録時間の短縮のバランスを図ることができる。
【０１０９】
記録媒体への反応液の反応液の付着の完了からインク組成物の付着の開始までの時間は、反応液の乾燥の程度が好ましいものとなるように調整すればよく、限るものではないが例えば１分以下が好ましく、３０秒以下がより好ましい。
【０１１０】
インク組成物付着工程における、インク組成物の最大付着量は、好ましくは５ｍｇ／ｉｎｃｈ2以上であり、より好ましくは６ｍｇ／ｉｎｃｈ2以上であり、さらに好ましくは７ｍｇ／ｉｎｃｈ2以上である。また、インク組成物の最大付着量は、好ましくは１５ｍｇ／ｉｎｃｈ2以下であり、より好ましくは１４ｍｇ／ｉｎｃｈ2以下であり、さらに好ましくは１３ｍｇ／ｉｎｃｈ2以下である。上記範囲であることで実用的な記録物が得やすく、画質などが優れる点で好ましい。
【０１１１】
（インク組成物二次乾燥工程）
本実施形態のインクジェット記録方法は、上記インク組成物一次乾燥工程の後、インク組成物が付着した記録媒体を乾燥させる二次乾燥工程を有していてもよい。これにより、記録媒体上のインク組成物に含まれる樹脂が、溶融し、埋まり性の良い記録物を形成することができる。その際、乾燥工程における記録媒体の温度は、好ましくは５０〜１５０℃であり、より好ましくは７０℃以上１２０℃以下であり、さらに好ましくは８０℃以上１００℃以下である。乾燥温度が上記範囲内であることにより、耐擦性がより向上する傾向にある。
【０１１２】
本実施形態に係るインクジェット記録方法によれば、インク組成物を付着させる際の、反応液に含まれていた水の蒸発率が高く（７０質量％以上）、有機溶剤の蒸発率が低くなる（６０質量％以下）。このように、インク組成物の凝集を阻害する水の残存量を低くし、インク組成物と混じり合うのに必要な有機溶剤の残存量を多くすることにより、インクの広がり性をバランス良くし、埋まりが良好でブリードの低減を図ることができる。
【実施例１】
【０１１３】
以下、本発明を実施例及び比較例を用いてより具体的に説明する。本発明は、以下の実施例によって何ら限定されるものではない。
【０１１４】
（反応液の調製）
各材料を下記の表１に示す組成（質量％）で混合し、十分に撹拌し、種々の反応液を得た。なお、反応液１の凝集剤の質量％で示す含有量は酢酸カルシウムの固形分として約４．７質量％であり、同じく反応液６は、コハク酸の固形分として約３．５質量％である。
【０１１５】
【表１】
2018138353.tif 000003
【０１１６】
（インク組成物の調製）
また本実施例において、インク組成物として表２に示す組成のものを用いた。質量部で示している。
【０１１７】
【表２】
2018138353.tif 000004
【０１１８】
表３に示すように、インクジェット記録方法の各種条件（反応液、反応液付着量、記録媒体温度、反応液乾燥後の反応液の水分蒸発率、反応液乾燥後の反応液の有機溶剤蒸発率、反応液ドットサイズ、反応液記録解像度、記録媒体、インクジェット記録装置、インク）を変化させて記録し、色安定性、画像形成（ブリード）、画像形成（埋まり）、耐擦性、反応液目詰まりについて評価した。以下に、記録方法の条件及び各評価試験の詳細について説明する。
【０１１９】
【表３】
2018138353.tif 000005
【０１２０】
〔インクジェット記録方法の条件〕
（記録装置）
インクジェット記録装置として、ＳＣ−Ｓ３０６５０（セイコーエプソン株式会社製）の改造機を用意した。プラテンのヒーターを任意に温度調整可能とした。またプラテンより上流に備えるプリヒーターも温度調整可能とした。反応液を付着させるときの記録媒体表面温度を表中の値とした。ただし２５℃の例はヒーターオフとした。記録媒体温度は記録媒体の搬送方向における反応液の付着を開始する位置の記録媒体表面温度を測定した。ノズル列の１つに反応液を充填し他の１つにインクを充填した。各ノズル列はノズル密度３６０ｄｐｉとした。
【０１２１】
記録装置の基本構成は上記の通りであるが、表中の装置１と装置２の違いは下記の通りである。
装置１：上流側にあるプリヒーターにより予備加熱した記録媒体をプラテンに送給した。補助的にプラテンヒーターも併用した。
装置２：プリヒーターはオフとしてプラテンヒーターのみを使用した。
【０１２２】
（記録方法）
プリンタにセットした記録媒体に、まず、ノズル列から反応液を吐出してテストパターン部へ付着させた。次に所定の乾燥時間後、記録媒体を巻き戻し、インクをテストパターン部へ重ねて付着させた。インクの付着を開始するときの反応液の蒸発率が表中の値となるように事前に例ごとに乾燥時間を決めておき、当該乾燥時間を例ごと設定した。インクは７２０×７２０ｄｐｉの記録解像度で後述の付着量となるようインク滴あたりのインク量を調整した。
【０１２３】
反応液の付着量と１吐出滴あたりの吐出量を表中の値とし、反応液の付着が可能な最大の記録解像度を表中の値とし、付着量が表中の値となるよう反応液滴を同じ液滴位置に重ねて付着させるか付着させない液滴位置が存在するようにして調整した。
【０１２４】
一次乾燥後、プラテン上で所定時間記録媒体を乾燥させ、パターン部の水分が、付着させた当初の反応液＋インクの水分の合計に対し水分蒸発率が９５質量％となるように乾燥させた。次に、記録媒体をプラテンより下流にあるアフターヒーター（硬化ヒーター）で記録媒体を７０℃×１分で後加熱した。
【０１２５】
（記録媒体の種類）
記録媒体１〜３として下記の記録媒体を使用した。
記録媒体１：ＰＥＴ５０Ａ  ＰＬシン  リンテック社製    非吸収性記録媒体
記録媒体２：塩化ビニール  ＳＶ−Ｇ−１２７０Ｇ  ローランド社製  非吸収性記録媒体
記録媒体３：上質紙  北越紀州製紙社製  吸収性記録媒体
【０１２６】
（蒸発率の測定方法）
記録媒体に反応液を付着させ、インクを付着開始するまでの所定時間経過時の記録媒体から反応液を採集し水分量計（カールフィッシャー水分計（平沼産業社製、微量水分測定装置、ＡＱ−２２００）で水分量を測定し、反応液の初期の水分量から水の蒸発量を算出した。付着させた反応液に含まれていた水分量のうち蒸発して無くなった水分量（質量％）である。記録媒体温度と所定時間を変えて測定することで、加熱条件と蒸発率の関係を対応つけることができる。
【０１２７】
有機溶剤の蒸発率は、同様にして採集した反応液を液体クロマトグラフィにより、各有機溶剤の含有量を測定し、反応液の初期の各有機溶剤の含有量から、全有機溶剤の蒸発率を算出した。液体クロマトグラフィーによる分析は、市販の装置（商品名：ＸｅｖｏＧ２−ＳＱＴｏｆ、Ｗａｔｅｒｓ社製）を用いた。
【０１２８】
（色安定性（ΔＥ））
記録試験の条件でＡ４サイズの記録媒体へ３×３ｃｍのパターンを記録し、連続して５０枚記録した。パターンのインク付着量は８ｍｇ／ｉｎｃｈ2とした。パターンごとに側色しパターン間の最大色差（ΔＥ）を算出した。側色機として、コニカミノルタ社製  ＣＭ−７００ｄを使用した。下記に評価基準を示す。
Ａ：色差が１．０未満。
Ｂ：色差が１．０以上１．５未満。
Ｃ：色差が１．５以上。
【０１２９】
（画像形成（ブリード））
テストパターンを記録した。インク付着量は５〜１０ｍｇ／ｉｎｃｈ2で１ｍｇずつ変えたパターンをそれぞれ記録した。なお色材をイエロー顔料（Ｐ．Ｙ．１５５）に置き換えた以外は同じ組成としたイエローインクを用意しパターン内で２つのインクを接触させ隣接し配置したパターンとして、各例ごとに、該インクとイエローインクとを用いてパターンを記録した。パターン内の色の境界部を目視で観察した。下記に評価基準を示す。
Ａ：付着量９ｍｇ／ｉｎｃｈ2パターンで色の境界部に色のにじみが無い。
Ｂ：付着量６〜８ｍｇ／ｉｎｃｈ2で色の境界部に色のにじみが無い。９ｍｇ／ｉｎｃｈ2ではにじみがある。
Ｃ：付着量６ｍｇ／ｉｎｃｈ2で色の境界部に色のにじみがある。
【０１３０】
（画像形成（埋まり））
パターン部のインク付着量を、８〜１１ｍｇ／ｉｎｃｈ2で１ｍｇづつ変えたパターンをそれぞれ記録した。パターン内に記録媒体の地色が透けて見えるか否か（インクで記録媒体が埋まっているか否か）を目視で評価した。
Ａ：付着量８ｍｇ／ｉｎｃｈ2で埋まった。
Ｂ：付着量９〜１０ｍｇ／ｉｎｃｈ2でベタ画像が埋まった。
Ｃ：付着量１０ｍｇ／ｉｎｃｈ2でも埋まらなかった。
【０１３１】
（耐擦性）
パターン部のインク付着量を９ｍｇ／ｉｎｃｈ2とした。パターン部を試験した。
Ａ：学振型試験で、５０回擦っても剥がれなし。
Ｂ：学振型試験で、５０回擦ると一部剥がれる（面積の１０％未満）。
Ｃ：学振型試験で、５０回擦ると剥がれる（面積の１０％以上２０％未満）。
Ｄ：学振型試験で、５０回擦ると剥がれる（面積の２０％以上）
【０１３２】
（目詰まり）
記録試験の条件で記録媒体上で、キャップ無し（ノズルむき出し）でヘッドを１日放置し、放置後にＣＬ（クリーニング）を行いノズルの回復性を評価。ＣＬ１回はノズル列から０．５ｃｃの反応液を排出した。
Ａ：ＣＬ３回以内で回復
Ｂ：ＣＬ６回以内で回復
Ｃ：ＣＬ９回で回復
Ｄ：ＣＬ９回で回復しない
【０１３３】
表３に示すように、実施例の記録方法はいずれも、非吸収性記録媒体（記録媒体１，２）に対して、色安定性と画像形成（埋まり）の双方においてＢ以上の評価が得られた。さらに、色安定性にも優れていた。これに対し、多くの比較例は、ブリード抑制と埋まりの何れかが劣っていた。さらに色安定性が劣る例も見られた。
詳細には、比較例１では、反応液中に水が多く残っていたため、色安定性、画像形成（ブリード）、画像形成（埋まり）の評価が低下した。
比較例２では、反応液中の水のみならず有機溶剤の大部分も蒸発してしまったため、色安定性に劣る結果となった。また、記録媒体の温度をかなり上げる必要があったため、ヘッドが熱を受け反応液目詰まりも悪化した。
比較例３は、上質紙を使用したため画像形成（ブリード）等の評価は良いものの、耐擦性に劣る結果となった。
比較例４では、反応液中に有機溶剤は残っているものの水が多く残っていたため、色安定性、画像形成（ブリード）、画像形成（埋まり）の評価が低下した。
【符号の説明】
【０１３４】
１…記録媒体、２…インクジェットヘッド、３…ＩＲヒーター、４…プラテン（記録媒体支持部）、５…硬化ヒーター、６…冷却ファン、７…プリヒータ、８…通気ファン、１００…インクジェット装置。
【図１】
2018138353.tif 000006